【手続補正書】
【提出日】平成24年6月11日(2012.6.11)
【手続補正１】
【補正対象書類名】明細書
【補正対象項目名】００１９
【補正方法】変更
【補正の内容】
【００１９】副円盤部２ａ面は、区分円周ｇの各区分点ｅより、逆回転方向に、接線ｆを引く。接線ｆを基準として傾斜角βを７５度で傾斜線ｊを区分点ｅより引き、又、この傾斜線ｊに対する直角線を区分点より引く。笠歯車３のピッチ円錐角ｘが１５度の時、傾斜角βの求め方は、θ＝４５−ｘ＝４５−１５＝３０度であり、β＝４５＋θ＝４５＋３０＝７５、よりβは７５度となる。
【手続補正２】
【補正対象書類名】明細書
【補正対象項目名】００２５
【補正方法】変更
【補正の内容】
【００２５】突出形磁石６の高さｈは、２区分の時、区分円周ｇにおける、２区分間円弧の２分の１とする。但し、作図を簡単にする為、図２の突出形磁石６の高さｈは、２区分間円弧の約４分の１としている。（最大高さは、この高さの約２倍とする。）図１１〜１２のように、突出形磁石６を３〜４段重ねる時、突出形磁石６の下面と同じ形の厚さ２〜３ｍｍ程度の接続用鉄板１０を突出形磁石６間に敷き、接着剤等で固定する。接続用鉄板１０の両側に枠部を設けて接着剤と併用して接続しても良い。接続用鉄板１０を付けると、同極間の反発が少なくなり、接続し易くなり磁場の流れも良くなり回転性が増す。
【手続補正３】
【補正対象書類名】明細書
【補正対象項目名】００２９
【補正方法】変更
【補正の内容】
【００２９】装置を起動する時は、クラッチ１７を切った状態で、ディスクブレーキ１４のロックを切ると、主円盤回転車１と副円盤回転車２は、ゆっくりと謡動を始め、回転に移行する。回転数が上がった時点で、クラッチ１７を入れると発電を開始する。装置を停止する時は、、クラッチ１７を切って、ディスクブレーキ１４をかければ停止し、長期間停止の時、ロック装置をかける。主、副傾斜台４、５、主円盤部１ａ、副円盤部２ａや笠歯車３連結部９、天盤８等は、磁力に作用しない材質としなければならない。又、笠歯車３の形状は、リング形とし、リング外周部面に付いたボルト穴より、主円盤部１ａ、副円盤部２ａに、ボルト等で取付け、取り外しが、主円盤回転車１と副円盤回転車２を軸受けに支持した状態で行なう事ができる。こうした構造を特徴とする請求項１記載の磁力回転発電装置。
【手続補正４】
【補正対象書類名】明細書
【補正対象項目名】００３１
【補正方法】変更
【補正の内容】
【００３１】笠歯車３のピッチ円錐角ｘは、１５度である。主円盤部１ａと副円盤部２ａの各、区分円周ｇ上を２区分数で等区分し、各区分点ｅとする。主円盤部１ａの各区分点より回転方向に、接線ｆを引き、接線ｆを基準として、傾斜角αを９０度とする、傾斜線ｊを区分点より引く。又この傾斜線ｊに対する直角線ｋを区分点より引き、描く。又、副円盤部２ａの各区分点ｅより、逆回転方向に、接線ｆを引き、接線ｆを基準として、傾斜角βを７５度で、傾斜線ｊを区分点より引く。又この傾斜線ｊに対する直角線ｋを区分点より引き、描く。傾斜角βの求め方は、θ＝４５−ｘ＝４５−１５＝３０度であり、傾斜角βは、β＝４５＋θ＝４５＋３０＝７５、よりβは７５度となる。
【手続補正５】
【補正対象書類名】明細書
【補正対象項目名】００３２
【補正方法】変更
【補正の内容】
【００３２】突出形磁石６は、超電導電磁石とし、主、副傾斜台４、５にボルト等で固定する。突出形磁石６上部に、連結部９を付け、天盤８固定に固定する。天盤８上部面に、冷凍機２２を設ける。冷凍機２２と超電導電磁石は、配管により接続する。冷凍機２２の電力は、装置容器１１外から供給するために、主軸７に円筒形電通接触面２３を設け、プラス側ブラシ保持器２４のブラシに接する。マイナス側ブラシ保持器２５は、装置容器１１側の主軸７端部分に付ける。マイナス側ブラシ保持器２５に接する小径の軸は、銅製とし、主軸端面にボルトにより固定する。冷凍機２２が遠心力によって悪影響を避けるために、発電機１９に、変速機２０を設ける。フライホィール２１は、装置容器１１外の主軸７に設ける。尚、発電機１９は、ピッチ円錐角ｘが４５度の一対の笠歯車を噛み合わせる事により、横、置きとし、大型の発電機を設ける事ができる。但し、水平ではなく、傾斜度が１５度となる。突出形磁石６を超電導電磁石とした構造を特徴とする請求項２記載の磁力回転発電装置。
【手続補正６】
【補正対象書類名】明細書
【補正対象項目名】００３４
【補正方法】変更
【補正の内容】
【００３４】主円盤部１ａの各区分点ｅより回転方向に、接線ｆを引き、接線ｆを基準として、傾斜角αを９０度とする傾斜線ｊを区分点より引く。又この傾斜線ｊに対する直角線ｋを区分点より引き、描く。又、副円盤部２ａの各区分点ｅより、逆回転方向に、接線ｆを引き、接線ｆを基準として、傾斜角βを６０度とする、傾斜線ｊを区分点より引く。又この傾斜線ｊに対する直角線ｋを区分点より引き、描く。尚、傾斜角βの求め方は、θ＝４５−ｘ＝４５−１５＝１５度であり、傾斜角βは、β＝４５＋θ＝４５＋１５＝６０、よりβは６０度となる。尚、より超小型にする時、選択するピッチ円錐角ｘはより小さくし、より大型にする時、ピッチ円錐角ｘはなるべく大きくとる事とする。尚、ピッチ円錐角ｘは、理論的には、加工、組み立てが可能であれば、より無眼に、小さくする事が可能である。こうした構造を特徴とする請求項１記載の磁力回転発電装置。
【手続補正７】
【補正対象書類名】明細書
【補正対象項目名】００３６
【補正方法】変更
【補正の内容】
【００３６】図１６は、共通中心線０−０の最接近点より、中心角で、４５度手前に位置する図である。この時、突出形磁石６（Ａ）の前磁極面Ｎ極と、副円盤部２ａにおける、突出形磁石６（Ｃ）前磁極面Ｓ極に吸引力が作用し、突出形磁石６（Ａ）に回転力Ｐ１と、突出形磁石６（Ｃ）に回転力Ｐ２が作用する。これらの作用は、中心線０−０の最接近点より、中心角で、６０度手前位置より作動する。回転力Ｐ１、Ｐ２における、主突出形磁石６（Ａ）前突出部６ａにかかる逆回転力は、主突出形磁石６（Ａ）前突出部６ａＮ極と突出形磁石６（Ｃ）後突出部６ｂＮ極が、近接して対向する時、磁極面がｘ形に交差する為、突出形磁石６（Ｃ）後突出部６ｂに、順方向回転が作用して、逆回転力を消去する。また、主突出形磁石６（Ａ）の主傾斜台の傾斜ブロックＢの傾斜角ｙは、ピッチ円錐角ｘの２分の１である為、対向する時、位置がずれ、主突出形磁石６（Ａ）前突出部６ａＮ極と突出形磁石６（Ｃ）後突出部６ｂＮ極の反発力が少なくなり、近接を容易にしている。又、副傾斜台の傾斜ブロックＦの傾斜角ｘ１は、ピッチ円錐角ｘと同じ角である為、突出形磁石６（Ｃ）が、中心線方向の外周に、突出形磁石６（Ｃ）は、副傾斜台より急傾斜する為、の上部磁極面は、より外周位置で、半径が大となり、より回転ポテンシャルが良くなる為、回転力Ｐ２は、より強力となる。又、吸引力の回転力は、磁極面がｘ形に交差する為、磁極面の上部から下部に向かって連続した回転力が作用する。これは、主突出形磁石６（Ａ）と突出形磁石６（Ｃ）の磁極面における高さ方向が、直線ではあるが螺旋形となって、連続した回転を容易にしている。回転力Ｐ１、Ｐ２、により、図１７の位置まで回転する。
【手続補正８】
【補正対象書類名】明細書
【補正対象項目名】００３７
【補正方法】変更
【補正の内容】
【００３７】図１７は、共通中心線０−０の最接近点より、中心角で１５度手前に位置の図である。回転力Ｐ１は、この位置で消滅する。この位置では、主突出形磁石６（Ａ）の後突出部Ｓ極と、副円盤部２ａにおける、突出形磁石６（Ｃ）後突出部６ｂＮ極に吸引力が作用し、突出形磁石６（Ａ）に、回転力Ｐ３が作用する。この時、突出形磁石６（Ｃ）後突出部６ｂＮ極にかかる逆回転力は、主突出形磁石６（Ａ）前突出部６ａＮ極と、突出形磁石６（Ｃ）後突出部６ｂＮ極が、磁極面が対向する時、ｘ形に交差する為、突出形磁石６（Ｃ）後突出部６ｂに、順方向回転が作用して、逆回転力を消去する。又、この回転力Ｐ３は、磁極面がｘ形に交差する為、磁極面のｘ形交差点は、上部から下部に向かって移動してゆく。従って、連続した回転力が作用する。又、回転力Ｐ２は、この位置でも、持続し、回転力Ｐ２、Ｐ３により図１８位置まで回転する。
【手続補正９】
【補正対象書類名】明細書
【補正対象項目名】００３９
【補正方法】変更
【補正の内容】
【００３９】図１９は、共通中心線０−０の最接近点より、中心角で、４５度通過位置の図である。回転力Ｐ２はこの位置で消滅する。又、回転力Ｐ４は、この位置でも持続する。又、この位置では、突出形磁石６（Ａ）の後突出部６ｂのＳ極と、突出形磁石６（Ｃ）の前突出部６ｂＳ極との反発力で、突出形磁石６（Ａ）に回転力Ｐ５と、突出形磁石６（Ｃ）に回転力Ｐ６が作用する。回転力Ｐ４、Ｐ５、Ｐ６、は、突出形磁石６（Ａ）と突出形磁石６（Ｃ）は、ｘ形に交差する為、突出形磁石６（Ａ）の上部から下部に連続して、強力な反発力による回転力を作動する。他方、ブレーキ力となる、突出形磁石６（Ａ）後突出部６Ｓ極に対する、突出形磁石６（Ｃ）の吸引力は、逆方向に向きでブレーキ力は弱く、しかも、回転につれ離れて、吸引力のブレーキ力は弱くなってゆく。従って、自力的に回転を得る事が、できるのである。回転力Ｐ４、Ｐ５、Ｐ６、は、共に、０−０の最接近点より、中心角で９０度通過した位置まで作用する。この回転力により、次の区分点の突出形磁石６（Ｂ）は、図１５の始めの回転ポテンシャル位置となる。以上のように、１区分点間の１サイクルの作動を行なうと、次の区分の突出形磁石６が回転ポテンシャル位置となり、半永久的回転が可能となる。従って、本発明では、熱力学のエネルギー保存や、重力位置エネルギー保存の第一法則にる永久機関不可能説は、全く関係ないのである。尚、この回転原理は、１５度以外のピッチ円錐角ｘでも、全て、同じである。